(57)【要約】【課題】  天板にエンド表示を必要に応じて着脱できて便利な作業台を提供する。【解決手段】  作業台は、板11上面の前後両縁部および左右両端部の少なくともいずれか一方にそって着脱自在に取付られる帯板状エンド表示26を備えている。天板11のエンド表示取付予定か所に２つのボルト孔44があけられている。エンド表示26下面にこれの全長にわたって内部拡大溝31が形成されている。溝31が、上幅広部34および下幅狭部35よりなる。上幅広部34が、ボルト孔44に通されるボルト41の頭部42をスライドさせうる形状を有している。下幅狭部35が、同ボルト41の軸部43をスライドさせうる形状を有している。【選択図】  図４
2006037487.tif 000002
【特許請求の範囲】
【請求項１】
天板11上面の前後両縁部および左右両端部の少なくともいずれか一方にそって着脱自在に取付られる帯板状エンド表示26を備えている作業台。
【請求項２】
天板11のエンド表示取付予定か所に２つのボルト孔44があけられており、エンド表示26下面にこれの全長にわたって内部拡大溝31が形成され、溝31が、上幅広部34および下幅狭部35よりなり、上幅広部34が、ボルト孔44に通されるボルト41の頭部42をスライドさせうる形状を有しており、下幅狭部35が、同ボルト41の軸部43をスライドさせうる形状を有している請求項１に記載の作業台。
【請求項３】
エンド表示26が、天板11の前後方向の長さより小さくかつ天板11の左右方向の長さの１／２より小さい長さを有している請求項１または２に記載の作業台。
【請求項４】
エンド表示26が、アルミニウム押出型材製である請求項１〜３のいずれか１つに記載の作業台。
【請求項５】
天板11にエンド表示26が取付られた状態で、エンド表示26の両縁部が天板11上面と接触させられ、エンド表示26の上面全体が、横断面輪郭略円弧状をなしている請求項１〜４のいずれか１つに記載の作業台。
【発明の詳細な説明】
【技術分野】
【０００１】
この発明は、作業台に関し、とくに、天板上に設けられて足で触覚しうるエンド表示を備えた作業台に関する。
【背景技術】
【０００２】
従来、この種の作業台としては、天板上面の前後両縁部および左右両端部にそれぞれそってエンド表示が取外し不能状態に取付られているものが知られている（例えば、特許文献１参照。）。
【０００３】
エンド表示は、必要が無かったり、場合によっては無い方が好ましいことがある。例えば、２つの作業台を前後に並べて使用する場合、２つの作業台の天板の相対して並んた前後縁部にエンド表示があると、２つの天板の間を行き来するときにエンド表示につまづいて転倒する恐れがあった。
【特許文献１】特開２００４−１９２９５号公報
【発明の開示】
【発明が解決しようとする課題】
【０００４】
この発明の目的は、天板にエンド表示を必要に応じて着脱できて便利な作業台を提供することにある。
【課題を解決するための手段】
【０００５】
この発明による作業台は、天板上面の前後両縁部および左右両端部の少なくともいずれか一方にそって着脱自在に取付られる帯板状エンド表示を備えているものである。
【０００６】
この発明による作業台では、天板にエンド表示を必要に応じて着脱でき、便利である。  さらに、天板のエンド表示取付予定か所に２つのボルト孔があけられており、エンド表示下面にこれの全長にわたって内部拡大溝が形成され、溝が、上幅広部および下幅狭部よりなり、上幅広部が、ボルト孔に通されるボルトの頭部をスライドさせうる形状を有しており、下幅狭部が、同ボルトの軸部をスライドさせうる形状を有していると、上幅広部にボルトの頭部をはめ入れるとともに、下幅狭部にボルトの軸部をはめ入れて、ボルトの軸部をボルト孔に通して、これにナットをねじはめることにより、エンド表示の取付が果たされる。しかも、ナットを緩めた状態では、エンド表示をスライドさせることができるため、エンド表示の取付位置を簡単に調節することができる。
【０００７】
また、エンド表示が、天板の前後方向の長さより小さくかつ天板の左右方向の長さの１／２より小さい長さを有していると、天板上面の前後両縁部に２つずつのエンド表示を取付けるとともに、天板上面の左右両端部に１つずつのエンド表示を取付けるようにすれば、１種類の長さのエンド表示を、天板上面の前後両縁部および左右両端部の双方に取付けることができる。
【０００８】
また、エンド表示が、アルミニウム押出型材製であると、エンド表示を安価に製造することができる。さらに、アルミニウム押出型材は、例えば、合成樹脂と比較して、硬いため、エンド表示を足で踏んだ感触が感じ易い。
【０００９】
また、天板にエンド表示が取付られた状態で、エンド表示の両縁部が天板上面と接触させられ、エンド表示の上面全体が、横断面輪郭略円弧状をなしていると、エンド表示に足が引っ掛かる恐れが無い。
【発明の効果】
【００１０】
この発明によれば、天板にエンド表示を必要に応じて着脱できて便利な作業台が提供される。
【発明を実施するための最良の形態】
【００１１】
この発明の実施の形態を図面を参照しながらつぎに説明する。
【００１２】
この発明の実施の形態を図面を参照しながらつぎに説明する。
【００１３】
以下の説明において、前後とは、図１を基準として、図１の紙面の手前側を前、これと反対側を後といい、左右とは、前方から見て、その左右の側を左右（図１の左右）というものとする。
【００１４】
図１および図２を参照すると、左右に長い方形状天板11と、天板11の左右両端部を支持している左右一対の支持脚12と、左右それぞれの側において、天板11と支持脚12を屈曲自在に連結しているヒンジ13と、天板11の左右両端近くおよび支持脚12の上端近くに渡されている中折れ式開き止めバー14と、左支持脚12の前後両側面上端近くに取付られている前後一対の手がかり棒15とを備えている。
【００１５】
左右の支持脚12は、左右の向きおよび開き角度は互いに異にしているが、同一構造のものである。図２に示す左支持脚12は、前後一対の伸縮脚21と、両伸縮脚21に上から下にかけて順次渡されている４段の踏み桟22〜25とよりなる。
【００１６】
図３を参照すると、天板11上面の前後両縁部には２つずつの帯板状エンド表示26が前後それぞれの側において一直線上に並んで取付られている。さらに、天板11上面の左右両端部には帯板状エンド表示26が１つずつ取付られている。これらの６つのエンド表示26は、同じ長さをもちかつ同形状のものである。
【００１７】
エンド表示26は、図４に詳細に示すように、アルミニウム押出型材によって一体成形されたもので、内部拡大溝31を形成している中央本体32と、これの上面両側に連なって反対方向に下向きに拡がる一対のスカート33とよりなる。本体32から両スカート33にかけての上面は、横断面輪郭上向き円弧状をなしている。また、両スカート33の下縁は、天板11上面と接触させられている。
【００１８】
溝31は、上幅広部34および下幅狭部35よりなる。上幅広部34にはボルト41の頭部42が、下幅狭部35にはボルト41の軸部43がそれぞれはめ入れられている。上幅広部34は、ボルト41の頭部42の二面幅よりも僅かに大きい幅を有しかつ同頭部42の高さよりも僅かだけ大きい高さを有している。下幅狭部35は、ボルト41の軸部43の径よりも僅かだけ大きい幅を有している。溝31にボルト41がはめ入れられた状態で、エンド表示26およびボルト41は、相対的にスライド自在となっている。
【００１９】
天板11の、エンド表示26と相対する部分には、ボルト孔44があけられている。ボルト孔44にはボルト41の軸部43が通されている。同軸部43の下方突出部分にはナット45がねじはめられている。ナット45の締付により、エンド表示26の取付が果たされている。再び図３を参照すると、１つのエンド表示26に対し２つのボルト孔44が備えられている。
【００２０】
エンド表示26の取付に際しては、１つのエンド表示26の溝31に開放端からボルト41を２つずつはめ入れ、適切なところまでボルト41をスライドさせ、ボルト41の軸部43を対応するボルト孔44に通して、これにナット45をねじはめて締付ればよい。
【００２１】
図５に、２つの作業台を前後に隣接させて使用する場合の例が示されている。２つの作業台の相対する縁部、すなわち、前作業台の後縁部および後作業台の前縁部のエンド表示26は、取外されている。このようにしておくと、作業者が２つの作業台の間を行き来する場合、エンド表示26に、作業者の足が引っ掛かる心配が無い。
【００２２】
図６〜図８は、左支持脚12の前伸縮脚21に取付られた前手がかり棒15およびこれの取付構造を詳細に示すものである。これに対して、後手がかり棒15およびこれの取付構造は、前後の向きを逆とするものであるが、同一構成のものであるから、その説明は省略する。
【００２３】
伸縮脚21は、上端に垂直脚部51を有しかつ垂直脚部51に対し所定角度θ1だけ前下りに傾斜させられた傾斜脚部52を有している。
【００２４】
手がかり棒15は、角筒状取付基部53と、取付基部53に基部をはめ込み状に連結固定している丸筒状棒本体54とよりなる。
【００２５】
図７において、格納位置の棒本体54が実線で示されされ、使用位置の棒本体54が想像線で示されている。格納位置の棒本体54は、下向きとなって傾斜脚部52と平行にのびている。使用位置の棒本体54は、垂直上向きとなっている。
【００２６】
取付基部53は、後側壁61、前側壁62および左右側壁63、64を有している。後側壁61に大取付孔65があけられるとともに、前側壁62に小取付孔66があけられている。大および小取付孔65、66は、前後方向にのびた共通軸線を有している。さらに、同後側壁61の、手がかり棒15の基部となる側の端部中央にはストッパ構成用切欠67が形成されている。
【００２７】
取付基部53の左右側壁63、64には、切欠67のすぐ前方を左右方向にのびた支持ピン71が大小取付孔65、66と交差させられるように渡し止められている。支持ピン71にはロック部材72が上下揺動自在に取付られるとともに、ロック部材72を図７中反時計方向に揺動させるように付勢する捻りばね73が取付られている。
【００２８】
ロック部材72は、先端部を後側壁61の後側面、すなわち、傾斜脚部52との対向面より後方に突出させるように切欠67に入り込ませたロック爪74と、ロック爪74の基端部に連なるロックレバー75とよりなる。ロック爪74の先端部が切欠67に入り込んでその底に当接させられた状態でロック部材72の反時計方向の揺動が規制されるようになっている。
【００２９】
伸縮脚21の傾斜脚部52上端部の前側面には取付ブラケット81が固定されている。取付ブラケット81は、後側壁61と摺接させられた平板状ロックプレート82を有している。ロックプレート82の高さの中程には支持軸83が前方突出状に設けられている。支持軸83は、大小取付孔66に摺動自在にはめ合わされて取付基部53内を前後方向に横断している長大径部84と、長大径部84の先端に設けられて小取付孔66に摺動自在にはめ合わされた短小径部85とよりなる。短小径部85の先端面にはねじ孔86が形成されている。ねじ孔85には抜止ボルト87がワッシャ88を介してねじ入れられている。これにより、支持軸83に手がかり棒15が正逆回転自在に支持されている。
【００３０】
図８を参照すると、伸縮脚21は、前から見て、垂直線Ｌに対し所定角度θ2だけ傾斜させられている。一方、手がかり棒15の取付基部53および棒本体54は、前から見て、直線上に位置させられている。
【００３１】
ロックプレート82は、支持軸83を挟んで反対側を向いた上円弧状縁部91および下円弧状縁部92を有している。上円弧状縁部91および下円弧状縁部92は、支持軸83の軸心を中心とするロック爪74の揺動半径に等しい半径を有している。上円弧状縁部91には格納位置用切欠93が形成されている。格納位置用切欠93は、支持軸83の軸心を通って伸縮脚21の傾斜角度と同じ角度θ2だけ傾斜させられた直線Ｍ上に位置させられている。下円弧状縁部92には使用位置用切欠94が形成されている。使用位置用切欠94は、支持軸83の軸心を通ってのびた垂直線Ｌ上に位置させられている。
【００３２】
今、手がかり棒15は、格納位置に位置させられているものとする。この状態でロック爪74は、ストッパ構成用切欠67および格納位置用切欠93にこれらにまたがってはめ入れられている。手がかり棒15は、伸縮脚21と同じ角度だけ傾斜させられていて、正逆いずれの方向にも回転することはできない。
【００３３】
手がかり棒15の使用に際しては、ロックレバー75の揺動端を押し下げる。そうすると、ストッパ構成用切欠67および格納位置用切欠93からロック爪74が抜け出し、手がかり棒15の回転が自由となる。手がかり棒15を正逆いずれかの方向に回転させ、ロック爪74を使用位置用切欠94にはめ入れる。手がかり棒15が垂直上向きの状態でその回転が拘束される。手がかり棒15を使用位置から格納位置にするには、同じように、ロック爪74を使用位置用切欠94から抜け出させ、格納位置まで手がかり棒15を回転させた後、格納位置用切欠93にロック爪74をはめ入れればよい。
【００３４】
図９および図１０は、左支持脚12の後伸縮脚21の要部を示すものである。残りの３つの伸縮脚21についても、前後左右の向きは異にするが、伸縮のメカニズムは同じである。
【００３５】
伸縮脚21は、開口を前に向けた横断面略コ字状脚本体101と、脚本体101の内側にこれの長さ方向に移動自在に保持されかつ脚本体101の下端からその下方に引出されうるようになされている開口を後に向けた横断面略コ字状引出脚102と、引出脚102の移動経路に対し進退しうるように脚本体101側に保持されているロックピン103とを備えている。
【００３６】
脚本体101と最下段の踏み桟25のなすコーナに、双方にまたがってコーナ金具104が固定されている。コーナ金具104にはロックレバー105が左右方向水平ピン106によって上下揺動自在に支持されている。ロックレバー105の前側揺動端には押動板107がコーナ金具104から前方に突出するように設けられている。
【００３７】
引出脚102は、脚本体101の開口を通じて前向きに露出させられた前側壁111を有している。前側壁111には第１ロック孔121および第２ロック孔122が等ピッチで上下一列に並んで形成されている。
【００３８】
第１ロック孔121は、その全体が円形である。第２ロック孔122は、円形とは異なる異形のものであって、その下半分は第１ロック孔121の下半分に対応する半円形であり、その上半分は方形である。連続して並んだ２つの第１ロック孔121と、１つの第２ロック孔122とが交互に配列されている。
【００３９】
ロックピン103は、ロックレバー105の後側揺動端に取付られている。ロックピン103をコーナ金具104から後方に突出させる方向にロックレバー105が図示しないばねによって付勢されている。
【００４０】
押動板107を引き上げると、ばねに抗してロックピン103がコーナ金具104内に引き込まれて、引出脚102の移動経路の移動経路から退去させられ、押動板107から、例えば、手を離して、ロックレバー105の揺動を自由にすると、ばねの力によってロックピン103がコーナ金具104内から突出させられて、引出脚102の移動経路の移動経路内に進入させられる。
【００４１】
図１０を参照すると、脚本体101の下端から引出脚102が所定長さだけ引出されている状態で、その引出長さに対応する第２ロック孔122にロックピン103がはめ入れられている。この状態では、例えば、下から数えて４つ目の第２ロック孔122まで引き出されており、その第２ロック孔122の上の２つの第２ロック孔122までが引き出されているとする。このように、第１ロック孔121および第２ロック孔122が規則正しく配列されているため、第１ロック孔121および第２ロック孔122の数を簡単に数えることができ、引出脚102がどこまで引き出されているかがすぐに分かる。１つの引出脚102の引出長さに合わせて他の３つの引出脚102の引出長さを調節すれば、４つの全ての伸縮脚21の長さを揃えられる。
【００４２】
第１ロック孔121および第２ロック孔122の配列は上記に限定されない。第１ロック孔121および第２ロック孔122は、１つ置きに交互に並んでいてもよく、連続して並んだ３つの第１ロック孔121に１またはそれ以上の第２ロック孔122がつづいてもよい。また、第１ロック孔121および第２ロック孔122の形状は、上記に限定されず、例えば、双方が異形であってもよい。
【図面の簡単な説明】
【００４３】
【図１】この発明による作業台の正面図である。
【図２】同作業台の側面図である。
【図３】同作業台の平面図である。
【図４】図３のIV−IV線にそう拡大断面図である。
【図５】同作業台の使用例の説明図である。
【図６】同作業台の手がかり棒取付装置の分解斜視図である。
【図７】同手がかり棒取付装置の垂直縦断面図である。
【図８】同手がかり棒取付装置の正面図である。
【図９】同作業台の伸縮脚の破砕断面を含む斜視図である。
【図１０】同伸縮脚の正面図である。
【符号の説明】
【００４４】
11  天板
26  エンド表示
31  内部拡大溝
34  幅弘部
35  幅狭部
41  ボルト
42  ボルト頭部
43  ボルト軸部
44  ボルト孔
【図１】
2006037487.tif 000003
【図２】
2006037487.tif 000004
【図３】
2006037487.tif 000005
【図４】
2006037487.tif 000006
【図５】
2006037487.tif 000007
【図６】
2006037487.tif 000008
【図７】
2006037487.tif 000009
【図８】
2006037487.tif 000010
【図９】
2006037487.tif 000011
【図１０】
2006037487.tif 000012